(57)【要約】      （修正有）【課題】装飾性と趣向性を高め、看者の目を引くことができるサドルカバーを提供する。【解決手段】自転車サドルの上面及び周壁面に被冠される上面部及び周壁面部を有するサドルカバー１であって、少なくとも表地と裏地との二重構造であり、表地の上面部の一部に、装飾が施された装飾部が形成され、表地の上面部における前記装飾部２１と装飾部以外２２の部分とが異なる色彩又は濃淡で構成されたサドルカバー１である。【選択図】図１
0003180427.tif 000002
【実用新案登録請求の範囲】
【請求項１】
自転車サドルの上面及び周壁面に被冠される上面部及び周壁面部を有するサドルカバーであって、
少なくとも表地と裏地との二重構造であり、
表地の上面部の一部に、装飾が施された装飾部が形成され、
表地の上面部における前記装飾部と装飾部以外の部分とが、異なる色彩又は濃淡であることを特徴とするサドルカバー。
【請求項２】
装飾部に、該装飾部から膨出している付加装飾部が設けられていることを特徴とする請求項１に記載のサドルカバー。
【請求項３】
装飾部が、起毛素材で形成されていることを特徴とする請求項１又は２に記載のサドルカバー。
【請求項４】
装飾部が、起毛された化学繊維で形成されていることを特徴とする請求項１〜３のいずれかに記載のサドルカバー。
【請求項５】
装飾部が、動物をモチーフにした形態であることを特徴とする請求項１〜４のいずれかに記載のサドルカバー。
【請求項６】
付加装飾部が、動物の目、鼻、耳、口、四肢又は尻尾に相当する構成であることを特徴とする請求項２に従属した請求項５に記載のサドルカバー。
【請求項７】
装飾部が、周壁面部の一部に及んでいることを特徴とする請求項１〜６のいずれかに記載のサドルカバー。
【請求項８】
周壁面部の下端に、被冠されるサドルに固定するための固定部が設けられていることを特徴とする請求項１〜７のいずれかに記載のサドルカバー。
【請求項９】
上面部における表地と裏地の間に、緩衝材が設けられていることを特徴とする請求項１〜８のいずれかに記載のサドルカバー。
【請求項１０】
裏地が、防水性素材で形成されていることを特徴とする請求項１〜９のいずれかに記載のサドルカバー。
【考案の詳細な説明】
【技術分野】
【０００１】
本考案は、自転車サドルに被冠するサドルカバーに関し、詳しくは、上面の一部に特徴ある装飾が施されたサドルカバーに関する。
【背景技術】
【０００２】
従来から、自転車サドルに被冠し、埃等による汚れや水滴による濡れから自転車サドルを防護するため、装飾のため又は座り心地を向上させるため等を目的とするサドルカバーが種々提案されている。
【０００３】
特許文献１に記載の技術は、「防水加工している不織布、又は不織布に防水スプレーを振りかけた、携帯用のコンパクトに作られた衣類の汚れを防ぐ為の使いすてのサドルカバー」に関するものであり、これに加えて、「不織布は、サドルが、すっぽりと入る大きさで、周囲にはゴムひもを通して、花柄や格子柄又は人気アニメの模様を施すことも、又は無地でも良い」旨を開示している。
【０００４】
この技術によれば、「防水加工している不織布」等でサドルカバーが形成されているため、水滴による濡れからサドルカバーを防護することができる。また、「花柄や格子柄又は人気アニメの模様を施す」ことにより、装飾性を高めることができる。
【０００５】
しかし、特許文献１に記載の技術は、サドルカバーとして従来から知られた構成であり、これに何らかの柄や模様を施したとしても、面白さに欠け、装飾性や趣向性が十分でないという問題があった。
【先行技術文献】
【特許文献】
【０００６】
【特許文献１】特開２００３−３３５２７７
【考案の開示】
【考案が解決しようとする課題】
【０００７】
そこで、本考案の課題は、装飾性と趣向性を高め、看者の目を引くことができるサドルカバーを提供することにある。
【課題を解決するための手段】
【０００８】
上記課題を解決する本考案は、下記構成を有する。
１．自転車サドルの上面及び周壁面に被冠される上面部及び周壁面部を有するサドルカバーであって、
少なくとも表地と裏地との二重構造であり、
表地の上面部の一部に、装飾が施された装飾部が形成され、
表地の上面部における前記装飾部と装飾部以外の部分とが、異なる色彩又は濃淡であることを特徴とするサドルカバー。
【０００９】
２．装飾部に、該装飾部から膨出している付加装飾部が設けられていることを特徴とする前記１に記載のサドルカバー。
【００１０】
３．装飾部が、起毛素材で形成されていることを特徴とする前記１又は２に記載のサドルカバー。
【００１１】
４．装飾部が、起毛された化学繊維で形成されていることを特徴とする前記１〜３のいずれかに記載のサドルカバー。
【００１２】
５．装飾部が、動物をモチーフにした形態であることを特徴とする前記１〜４のいずれかに記載のサドルカバー。
【００１３】
６．付加装飾部が、動物の目、鼻、耳、口、四肢又は尻尾に相当する構成であることを特徴とする前記２に従属した前記５に記載のサドルカバー。
【００１４】
７．装飾部が、周壁面部の一部に及んでいることを特徴とする前記１〜６のいずれかに記載のサドルカバー。
【００１５】
８．周壁面部の下端に、被冠されるサドルに固定するための固定部が設けられていることを特徴とする前記１〜７のいずれかに記載のサドルカバー。
【００１６】
９．上面部における表地と裏地の間に、緩衝材が設けられていることを特徴とする前記１〜８のいずれかに記載のサドルカバー。
【００１７】
１０．裏地が、防水性素材で形成されていることを特徴とする前記１〜９のいずれかに記載のサドルカバー。
【考案の効果】
【００１８】
前記１に示す考案によれば、表地の上面部の一部に施された装飾が、それ以外の部分と異なる色彩又は濃淡であるため、装飾部を引き立たせ、装飾性と趣向性を高め、看者の目を引くことができるサドルカバーを提供することができる。また、少なくとも表地と裏地との二重構造であるため、上面部の一部に装飾部を縫い付け又は接着したものに比べ、座り心地の良いクッション性を維持できる。
【００１９】
前記２に示す考案によれば、装飾部に、該装飾部から膨出している付加装飾部を設けることによって、装飾部に立体感が生じ、装飾性と趣向性を一層高め、看者の目を引くことができる。
【００２０】
前記３又は４に示す考案によれば、装飾部を起毛素材で形成することによって、装飾部の立体感が増し、より一層、装飾性と趣向性を高めることができる。
【００２１】
前記５に示す考案によれば、装飾部を、動物をモチーフにした形態とすることで、より一層、装飾性と趣向性を高めることができる。
特に、装飾部を動物をモチーフにした形態とすることに加え、装飾部を起毛素材で形成すれば、装飾部がぬいぐるみの如き形態になり、装飾性と趣向性を一層高め、看者の目を引くことができる。
【００２２】
前記６に示す考案によれば、付加装飾部を、動物の目、鼻、口、四肢又は尻尾に相当する構成であることによって、装飾部が立体的なぬいぐるみの如き形態になり、装飾性と趣向性を更に高め、より一層、看者の目を引くことができる。
【００２３】
前記７に示す考案によれば、装飾部が、周壁面部の一部に及ぶことによって、サドルカバー全体における装飾の立体性を高めることができる。
【００２４】
前記８に示す考案によれば、周壁面部の下端に固定部を設けることによって、サドルカバーを自転車サドルに固定し、脱落等を防止することができる。
【００２５】
前記９に示す考案によれば、上面部における表地と裏地の間に、緩衝材を設けることによって、クッション性を高め、座り心地を高めることができる。
【００２６】
前記１０に示す考案によれば、裏地を防水性素材で形成し、サドルカバーを裏返し、裏地側を外側にして自転車サドルに装着すれば、自転車サドルを水滴等の濡れから防護すると共に、表地も水滴等の濡れから防護することができる。
【図面の簡単な説明】
【００２７】
【図１】本考案に係るサドルカバーの一実施例を表す斜視図
【図２】本考案に係るサドルカバーの一実施例を表す正面図、背面図及び側面図
【図３】装飾部の形態を例示した正面図
【図４】本考案に係るサドルカバーの構成を説明するＡ−Ａ端面図
【考案を実施するための最良の形態】
【００２８】
添付の図面に従って、本考案に係るサドルカバー１を説明する。
本考案に係るサドルカバー１は、自転車サドルの上面及び周壁面に被冠するものであり、図１及び図２に示すように、自転車サドルの上面及び周壁面に対応した上面部２及び周壁面部３を有する構成である。
【００２９】
上面部２は、自転車サドルの上面の形状に対応した形状である。詳しくは、自転車の前輪方向が先細り、後輪方向が幅広であり、角が丸められた三角形又は扇形のような形状である。
【００３０】
上面部２の表地４の一部には、装飾が施された装飾部２１が形成される。
装飾部２１が形成される位置に限定はないが、例えば、図１等に示されるように、後輪方向の幅広部分の位置に形成されることが好ましい。
【００３１】
装飾部２１は、上面部２における装飾部以外の部分２２と、異なる色彩又は濃淡で形成される。これにより、外観上、装飾部２１を引き立たせ、サドルカバー１の装飾性と趣向性を高めることができる。図１〜図３においては、装飾部２１が淡色に、装飾部以外の部分２２が濃色で表わされているが、装飾部２１の形態によっては、濃淡が逆でもよい。
【００３２】
装飾部２１には、この装飾部２１から膨出している付加装飾部２１ａが設けられる。付加装飾部２１ａは、一部が装飾部２１に固定されており、付加装飾部２１ａを含めた装飾部２１全体の形態が、１つの形態を表すことが好ましい。これにより、装飾部２１が立体的な形態となり、サドルカバー１の装飾性と趣向性を更に高めることができる。
【００３３】
装飾部２１は、起毛素材で形成されることが好ましい。中でも、多くの色彩を施すことが可能であり、発色も豊かであることから、起毛された化学繊維で形成されることが好ましく、例えば、起毛されたポリエステルやアクリル採用することができる。これにより、装飾部２１の立体感が増し、より一層、サドルカバー１の装飾性と趣向性を高めることができる。
【００３４】
装飾部２１は、動物、植物、映画やアニメのキャラクター、幾何図形等をモチーフにした形態であることが好ましい。これらの形態にすることによって、前記した付加装飾部２１ａを設けることや装飾部２１を起毛素材で形成することと相俟って、装飾部２１をぬいぐるみの如き外観に形成することができる。
【００３５】
また、装飾部２１が動物をモチーフにした形態である場合には、付加装飾部２１ａが、
動物の目、鼻、耳、口、四肢又は尻尾に相当する箇所に設けられていることが好ましい。これにより、装飾部２１が立体的な動物のぬいぐるみのようになり、装飾性と趣向性を一層高めることができる。
【００３６】
図３（ａ）〜（ｄ）に、装飾部２１が、動物をモチーフにした形態である場合の例を示す。図３（ａ）は、カエルをモチーフとした形態であり、カエルの目に相当する部分が、装飾部２１から膨出した付加装飾部２１ａである。図３（ｂ）は、象をモチーフとした形態であり、象の鼻と耳に相当する部分が、装飾部２１から膨出した付加装飾部２１ａである。図３（ｃ）は、豚をモチーフとした形態であり、豚の耳に相当する部分が、装飾部２１から膨出した付加装飾部２１ａである。図３（ｄ）は、亀をモチーフとした形態であり、亀の甲羅から出た四肢と尻尾に相当する部分が、装飾部２１から膨出した付加装飾部２１ａである。
【００３７】
装飾部２１又は付加装飾部２１ａの一部（例えば、装飾部２１が動物の形状である場合は、動物の目、鼻、耳、口等。）は、別構成片を縫着、接着等の手段によって結合して設けてもよいし、刺繍によって構成してもよい。
図１〜３において、装飾部２１は、動物をモチーフにした形態が例示されているが、これらの動物の目、鼻、耳、口等を刺繍によって構成することができる。例えば、図１及び図２におけるパンダの形態の場合は目、鼻及び口を、図３（ａ）におけるカエルの形態の場合は目、鼻及び口を、図３（ｂ）における象の形態の場合は目を、図３（ｃ）における豚の形態の場合は目及び鼻を、図３（ｄ）における亀の形態の場合は甲羅を、それぞれ刺繍によって構成することができる。これにより、装飾部２１における立体性を更に向上することができる。
【００３８】
周壁面部３は、図１及び図２に示されるように、自転車サドルの周壁面又は周壁面から下面の一部にかけてを包み込むことができる形状であれば、その形状に特別の限定はなく、公知公用のサドルカバーにおける周壁面部の形状を特別の制限なく採用することができる。
【００３９】
周壁面部３の一部には、上面部２における装飾部２１から装飾の一部が延伸されて、装飾部３１が形成され、この周壁面部３における装飾部３１と、上面部２における装飾部２１とが一体として１つの形態（装飾）を表すことができる。これにより、装飾が、周壁面部３の一部に及ぶことによって、サドルカバー１全体における装飾の立体性を高めることができる。
【００４０】
周壁面部３の下端には、被冠される自転車サドルに固定するための固定部３２が設けられることが好ましい。サドルカバー１を、自転車サドルに被冠するだけでは、風に飛ばされたり、運転者の腰の動きによって脱落するおそれがあるためであり、固定部３２を設けることによって、サドルカバーを自転車サドルに固定し、脱落等を防止することができる。
【００４１】
固定部３２は、図２の背面図や側面図に表されるように、周壁面部３の下端に紐体３２ａを通し、紐体３２ａを挟んで位置を固定するためのクリップ体３２ｂを設け、この周壁面部３２の下端を巾着状に開閉できるように形成することができる。但し、本考案に係るサドルカバー１において、固定部３２の具体的態様に限定はなく、公知公用のサドルカバーに用いられる自転車サドルへの固定手段を特別の制限なく採用することができる。
【００４２】
図４は、図２の正面図に示されるＡ−Ａ線における端面を表した図である。
本考案に係るサドルカバー１は、図４に示されるように、表地４と裏地５との少なくとも二重構造である。表地４と裏地５とは、少なくとも周壁面部３の下端において結合され
（結合部７）、図４に示されるように、上面部２と周壁面部３との接合部分（結合部７）においても結合することができる。結合手段について限定はないが、例えば、縫着や接着といった公知公用の結合手段を採用することができる。
【００４３】
裏地５に対して、表地４を立体的にするための縫製としては、公知公用のいずれの技術を採用してもよい。例えば、ギャザーやタックを取る縫製を挙げることができ、特に、ギャザー縫製の場合、装飾部２１の立体性が際立って好ましい。
【００４４】
表地４と裏地５とを形成する素材について限定はないが、上述のとおり、表地４に設けられた装飾部２１（３１）は、起毛素材で形成されることが好ましい。この場合において、表地４の装飾部以外の部分２２（３２）については、同じく起毛素材を採用してもよいし、それ以外の素材を採用してもよい。
【００４５】
裏地５を形成する素材として、防水性素材を採用することができる。裏地を防水性素材で形成することで、サドルカバー１を裏返し、裏地５側を外側にして自転車サドルに装着すれば、降雨時や降雨が心配される時には、自転車サドルを水滴等の濡れから防護することができると共に、表地４も水滴等の濡れから防護することができる。
【００４６】
また、裏地５は、表地４と同様に、その一部に装飾を施してもよく、表裏で異なる形態の装飾を施して、リバーシブルとして使用することもできる。
【００４７】
図４に示されるように、表地４と裏地５との間に、緩衝材６を設けることができる。これにより、クッション性を更に高め、サドルカバー１の座り心地をより高めることができる。
緩衝材６を形成する素材に限定はなく、例えばウレタンなど、サドルカバーの緩衝材として用いられる公知公用の素材を特別の制限なく採用することができる。
【００４８】
表地４において、装飾部２１（３１）と装飾部以外の部分２２（３２）とは、それぞれ必要な形状に形成された部材を用意し、それぞれの部材の端部を縫合等の手段によって接合して上面部２（又は周壁面部３）を形成することができる。また、上面部２の全面に相当する形状に形成された装飾部以外の部分２２の部材を用意し、この上から装飾部２１を重ねて縫合等の手段によって結合し、上面部２（又は周壁面部３）を形成することもできる。
【符号の説明】
【００４９】
１  サドルカバー
２  上面部
２１  装飾部
２１ａ  付加装飾部
２２  装飾部以外の部分
３  周壁面部
３１  装飾部
３２  装飾部以外の部分
３２  固定部
３２ａ  紐体
３２ｂ  クリップ体
４  表地
５  裏地
６  緩衝材
７  結合部
【図１】
0003180427.tif 000003
【図２】
0003180427.tif 000004
【図３】
0003180427.tif 000005
【図４】
0003180427.tif 000006